【事件の表示】
　平成２年特許願第１６１５２号「デジタルフィルタ演算装置及びデジタルフィルタ演算方法」拒絶査定に対する審判事件（平成３年９月３０日出願公開、特開平３−２２１９９７）について、次のとおり審決する。
【結論】
　本件審判の請求は、成り立たない。
【理由】
１．手続きの経緯・本願発明
　本願は、平成２年１月２９日の出願であって、その請求項１に係る発明は、平成８年１１月６日、平成９年４月２１日付、及び平成１１年８月３１日付の各手続補正書により補正された明細書及び図面の記載からみて、その特許請求の範囲の請求項１に記載された次のとおりのものと認める。
「（１）楽音波形を発生する手段と、
　この発生された楽音波形にデジタルフィルタ演算を施す手段と、
　このデジタルフィルタ演算におけるカットオフ周波数値を設定し、しかもこの設定されるカットオフ周波数値を変化させる手段と、
　このカットオフ周波数値の変化にあたり、このカットオフ周波数値の現在値と目標値とこのカットオフ周波数値を変化させるステップ値とから、当該カットオフ周波数値を補間する手段と、
　この変化されかつ補間されたカットオフ周波数値に基づいて、上記デジタルフィルタ演算のデジタルフィルタ係数を演算し、この演算されたデジタルフィルタ係数を上記デジタルフィルタ演算に使用させる手段とを備えたことを特徴とするデジタルフィルタ演算装置。」
２．引用例の記載
　これに対して、当審が平成１１年６月１８日付の拒絶理由通知書において引用した特開昭６３−１７０６９８号公報（以下、引用例１という）、特開昭６３−２３９４９４号公報（以下、引用例２という）には、それぞれ、下記の事項が記載されている。
引用例１：特開昭６３−１７０６９８号公報
「押鍵期間に相当する時間をある間隔で区切ったとき、それぞれの区切られた区切点を指定する区切点指定手段、
　前記区切点指定手段によって指定された区切点のそれぞれに対応して、少なくとも当該区切点から次の区切点までの時間と、当該区切点の音源と、当該区切点のエンベロープの絶対値と、当該区切点のフィルタのカットオフ周波数の絶対値とを含むパラメータを設定するためのパラメータ設定手段、
　前記パラメータ設定手段で設定されたパラメータを記憶するパラメータ記憶手段、
　ある区切点から次の区切点までの時間を計数する第１の計数手段、
　設定のための指令を与える指令手段、および
前記指令手段からの指令に基づいて、前記パラメータ記憶手段に記憶しているある区切点のパラメータと次の区切点のパラメータとを読出して、当該ある区切点と当該次の区切点との間のパラメータを補間して出力し、当該ある区切点のパラメータに含まれる時間を前記計数手段が計数したことに応じて、前記パラメータ記憶手段から次の区切点のパラメータを読出して補間する制御手段を備えた、電子楽器のプリセット装置。」（特許請求の範囲）
「ＶＣＯは押鍵信号に応じた周波数の信号を出力して音の高さを決定するものである。また、ＶＣＦ５はＶＣＯ４から出力された音の高さ信号の倍音構成を変化させるものである。そして、ＶＣＡ６はＶＣＦ５から出力された信号の振幅を変化して音の大きさを決定する。」（第２頁左上欄第１２行〜第１７行）
「ＣＰＵ２１に関連して、メモリ２６とパラメータレジスタ２２と目的値レジスタ２３とブレークポイントカウンタ２４とステージカウンタ２５とが設けられる。メモリ２６は、後述の第３図で説明するが各パラメータを記憶するものである。パラメータレジスタ２２はメモリ２６に設定された各ブレークポイントにおけるパラメータを記憶するものである。目的値レジスタ２３は次のブレークポイントにおけるパラメータを記憶するものである。ブレークポイントカウンタ２４はたとえばブレークポイントＡからＢまでの間におけるパラメータを補間するために、ブレークポイントＡＢ間を所定のステップごとに計数するものである。そして、ブレークポイントカウンタ２４の計数値が”０”のとき、ブレークポイントＡとＢの間を示し、”１”のときブレークポイントＢとＣの間を示し、”２”のときブレークポイントＣとＤの間を示し、”３”のときブレークポイントＤとＥの間を示す。」（第３頁左下欄第６行〜右下欄第４行）
「まず、各パラメータを設定するときには、モード切換スイッチ１７を切換えてＳＴＥＰモードを選択する。そして、ステージセレクトスイッチ１１を操作してブレークポイントＡないしＥのいずれかを選択する。さらに、ステージタイムスイッチ１２およびパラメータ設定レバー１６を操作してステージタイムを設定する。すなわち、たとえばＡ→Ｂキーを操作してパラメータ設定レバー１６を動かして書込スイッチ１８を操作すると、パラメータ設定レバー１６の位置に応じたステージタイムが設定される。さらに、ＶＣＯパラメータスイッチ１３のいずれかを操作しかつパラメータ設定レバー１６でその値を設定して書込スイッチ１８を操作する。同様にして、ＶＣＦパラメータスイッチ１４とパラメータ設定レバー１６とを操作して書込スイッチ１８を押すことによってＶＣＦパラメータが設定され、ＶＣＡパラメータスイッチ１５とパラメータ設定レバー１６とを操作して書込スイッチ１８を押すことによりＶＣＡパラメータが設定される。このような設定動作により、メモリ２６には、第３図に示すごとく、各ブレークポイントごとに各パラメータが記憶される。」（第４頁右上欄第１８行〜左下欄第２０行）
「ＣＰＵ２１は上述の演算結果を目的値レジスタ２３にセットする。そして、ステップＳ５においてメモリ２６のエリア２６２に記憶しているブレークポイントＢからＡまでのステージタイムをステージカウンタ２５にセットする。そして、ステップＳ６においてパラメータレジスタ２２にセットした各パラメータをＤ／Ａコンバータ２８に出力する。Ｄ／Ａコンバータ２８はディジタル値としてのパラメータをアナログ信号に変換し、このアナログ信号はディマルチプレクサ２９およびサンプルホールド回路３０を介してＶＣＯ４，ＶＣＦ５，ＶＣＡ６にそれぞれ与えられる。」（第５頁左上欄第８行〜第１９行）
「一方、鍵盤１を押している期間すなわち押鍵中はキーオン信号およびキーオフ信号は出力されない。したがって、ＣＰＵ２１はステップＳ１においてキーオンでないことを判別し、ステップＳ７においてキーオフでないことを判別し、ステップＳ８においてステージカウンタ２５をディクリメントする。そして、ステップＳ９においてステージカウンタ２５の計数値が０になったか否かを判別する。ステージカウンタ２５の計数値が０でなければステップＳ１０に進み、次の演算を行なう。すなわち、目的値レジスタ２３に設定されているパラメータ値からパラメータレジスタ２２に設定されているパラメータ値を減算し、それに定数Ｋを乗算し、その結果をパラメータレジスタ２２に設定されているパラメータに加算する。この演算は前述の第４図（ｄ）に示すブレークポイントＡとＢとの間の区切られた１ステップ間を補間するためである。このような演算によって求められたパラメータの補間値はＤ／Ａコンバータ２８に出力される。」（第５頁右上欄第１５行〜左下欄第１４行）
引用例２：特開昭６３−２３９４９４号公報
「所望のフィルタ特性を実現する複数組のフィルタ係数がフィルタ係数記憶手段に記憶されており、このフィルタ係数記憶手段から読み出すべきフィルタ係数は、基本的には、基準値データ設定手段により設定された基準値データにより指定される。この基準値データとは別に、音色を可変制御するための制御データを制御データ発生手段により発生することができる。演算手段では、前記基準値データと制御データとを演算し、整数部と小数部とからなるフィルタ係数演算データを求める。こうして基準値データを制御データにより変更したものがフィルタ係数演算データである。フィルタ係数記憶手段から読み出すべきフィルタ係数の選択は、選択手段により行われる。選択手段では、フィルタ係数演算データの整数部に応じて少なくとも２つのフィルタ係数を選択して前記フイルタ係数記憶手段から読み出す。フィルタ係数補間手段では、前記フィルタ係数演算データの小数部を補間パラメータとして、前記選択手段により読み出した少なくとも２組のフィルタ係数を補間し、補間により得られたフィルタ係数を前記ディジタルフィルタ手段に与える。
　こうして、この場合も、補間により、音色制御内容に応じた精密なフィルタ係数を発生することができるので、フィルタ係数記憶手段に予め記憶しておくフィルタ係数の量を増すことなく、豊富なフィルタ特性を実現し、これにより豊富な音色変化制御を実現することができるようになる。また、フィルタ係数記憶手段から読み出すべきフィルタ係数を、基本的には、基準値データにより概ね指定するので、この基準値データの任意の設定によって多様なバリエーションでフィルタ係数記憶手段の記憶内容を利用することができ、これによっても豊富な音色変化制御を実現することができるようになる。」（第４頁左下欄第１１行〜第５頁左上欄第６行）
３．対比・判断
　本願の請求項１の発明（以下、前者という）と上記引用例１記載のもの（以下、後者という）を比較すると、両者は、いずれも電子楽器に関して、音色等が時間経過にしたがって変化する楽音波形を発生するため、電子楽器に設けられた音色を制御するフィルタ手段の特性を時間的に変化させるものであり、後者の「ＶＣＯ」は、前者の「楽音信号を発生する手段」に対応する。
　そして、後者の「ＶＣＦ」は、「ＶＣＯ４から出力された音の高さ信号の倍音構成を変化させるもの」であるから、「発生された楽音波形にフィルタ処理を施す手段」である。
　また、「ＣＰＵ２１」は、「パラメータレジスタ２２にセットした各パラメータをＤ／Ａコンバータ２８に出力」し、「Ｄ／Ａコンバータ２８は、ディジタル値としてのパラメータをアナログ信号に変換し、このアナログ信号は、ＶＣＦ５に与えられ」、「目的値レジスタ２３に設定されているパラメータ値からパラメータレジスタ２２に設定されているパラメータ値を減算し、それに定数Ｋを乗算し、その結果をパラメータレジスタ２２に設定されているパラメータに加算する。この演算は前述の第４図（ｄ）に示すブレークポイントＡとＢとの間の区切られた１ステップ間を補間するためである。このような演算によって求められたパラメータの補間値はＤ／Ａコンバータ２８に出力される」ものであって、設定され、補間される「パラメータ」は、「フィルタのカットオフ周波数の絶対値」を含むものであり、「目的値レジスタ２３に設定されているパラメータ値からパラメータレジスタ２２に設定されているパラメータ値を減算し、それに定数Ｋを乗算」した結果の数値は、「カットオフ周波数値を変化させるステップ値」であるから、「ＣＰＵ２１」は、「フィルタ処理におけるカットオフ周波数値を設定し、しかもこの設定されるカットオフ周波数値を変化させる手段」であって、かつ、「このカットオフ周波数値の変化にあたり、このカットオフ周波数値の現在値を目標値とこのカットオフ周波数値を変化させるステップ値から、当該カットオフ周波数値を補間する手段」、「フィルタ処理を施す手段を制御する手段」である。
　したがって、両者は、「楽音波形を発生する手段と、
　この発生された楽音波形にフィルタ処理を施す手段と、
　このフィルタ処理におけるカットオフ周波数値を設定し、しかもこの設定されるカットオフ周波数値を変化させる手段と、
　このカットオフ周波数値の変化にあたり、このカットオフ周波数値の現在値と目標値とこのカットオフ周波数値を変化させるステップ値から、当該カットオフ周波数値を補間する手段と、
　この変化されかつ補間されたカットオフ周波数値に基づいて、上記フィルタ処理を施す手段を制御する手段とを備えたフィルタ処理装置。」
である点で一致し、以下の点で相違している。
　前者の「フィルタ処理を施す手段」は、「デジタルフィルタを演算を施す手段」であって、「変化されかつ補間されたカットオフ周波数値に基づいて、上記デジタルフィルタ演算のデジタルフィルタ係数を演算し、この演算されたデジタルフィルタ係数を上記デジタルフィルタ演算に使用させる」ことにより、「デジタルフィルタ演算を施す手段」が制御されるのに対して、後者の「フィルタ処理を施す手段」は、「ＶＣＦ」であって、変化されかつ補間された「パラメータの補間値はＤ／Ａコンバータ２８に出力され」、「Ｄ／Ａコンバータ２８は、ディジタル値としてのパラメータをアナログ信号に変換し、このアナログ信号は、ＶＣＦ５に与えられる」ことにより、「ＶＣＦ」が制御される点。
　上記相違点について検討すると、上記引用例２には、ディジタルフィルタを用いた楽音信号処理装置において、「所望のフィルタ特性を実現する複数組のフィルタ係数がフィルタ係数記憶手段に記憶されており、このフィルタ係数記憶手段から読み出すべきフィルタ係数は、基本的には、基準値データ設定手段により設定された基準値データにより指定される」こと、「この基準値データとは別に、音色を可変制御するための制御データを制御データ発生手段により発生することができる。演算手段では、前記基準値データと制御データとを演算し、整数部と小数部とからなるフィルタ係数演算データを求める。こうして基準値データを制御データにより変更したものがフィルタ係数演算データである」こと、すなわち、「所望のフィルタ特性に基づいて、デジタルフィルタ演算のデジタルフィルタ係数を演算し、この演算されたデジタルフィルタ係数を上記デジタルフィルタ演算に使用させる」ことが記載されている。
　よって、後者のものにおいて、アナログ信号により制御される「ＶＣＦ」に代えて「デジタルフィルタ演算を施す手段」を用いて、楽音波形に「フィルタ処理を施す」こと、及び、所望のフィルタ特性であるパラメータの補間値、すなわち、「変化されかつ補間されたカットオフ周波数値」に基づいて、「デジタルフィルタ演算のデジタルフィルタ係数を演算し、この演算されたデジタルフィルタ係数を上記デジタルフィルタ演算に使用させる」ことは、いずれも、上記引用例２の記載に基づいて、当業者が容易になし得るものと認める。
４．むすび
　したがって、本願の請求項１の発明は、上記引用例１、２に記載された発明に基づいて、当業者が容易に発明をすることができたものであるから、特許法第２９条第２項の規定により特許を受けることができない。
　よって、結論のとおり審決する。